(57)【要約】【課題】噴射圧力が高圧なノズルを樹脂成形で安価に供給する。【解決手段】樹脂成形品からなる本体と、該本体の設けられた噴口を囲む内壁面に固定されるセラミック製のノズルチップを備え、該ノズルチップは前記本体の噴口と連通する噴射穴を中央部に備え、該ノズルチップの噴射穴から前記本体の噴口を通して流体を噴射する構成としている。前記ノズルチップは本体にモールド固定している。【選択図】図１
2008104929.tif 000002
【特許請求の範囲】
【請求項１】
樹脂成形品からなる本体と、該本体の設けられた噴口を囲む内壁面に固定されるセラミック製のノズルチップを備え、該ノズルチップは前記本体の噴口と連通する噴射穴を中央部に備え、該ノズルチップの噴射穴から前記本体の噴口を通して流体を噴射する構成としていることを特徴とするノズル。
【請求項２】
前記ノズルチップは平板状で、前記本体の射出成形時に該本体の噴射側壁の内面にモールドして固定している請求項１に記載のノズル。
【請求項３】
前記ノズルチップ、前記本体または／および該本体内に装填するアダプタに、旋回流発生手段を設け、前記ノズルチップの噴射穴から旋回流の噴霧を発生させる構成としている請求項１または請求項２に記載のノズル。
【請求項４】
前記ノズルチップの前記噴射穴は、流入側から縮径するテーパ状穴部と、該テーパ状穴部に連続して前記本体の噴口に連通する小径穴部とからなり、前記テーパ状穴部に連通する旋回溝を通して流体を旋回させながら流入し、前記ノズルチップの噴射穴および前記本体の噴口から旋回流の噴霧を発生させる構成としている請求項１乃至請求項３のいずれか１項に記載のノズル。
【請求項５】
前記本体は、筒部の一端に前記噴口を有する前記噴射側壁を備えると共に他端は開口とし、該開口から前記筒部内にアダプタを装填し、該アダプタの先端部と前記ノズルチップの内側面とを対向させ、この対向するノズルチップの内側面あるいは前記アダプタの先端面のいずれかに円弧の旋回溝を設け、該旋回溝の内端を前記ノズルチップの噴射穴に連通させ、流体を旋回させて流入している請求項１乃至請求項４のいずれか１項に記載のノズル。
【請求項６】
前記本体の筒部内に装填するアダプタはユニットとし、筒状のストレーナーボルダと、該ストレーナーホルダの外嵌した筒状のストレーナースクリーンと、前記ストレーナーホルダの先端面に嵌合固定したクローザからなり、該クローザで前記アダプタの先端部を構成している請求項５に記載のノズル。
【請求項７】
前記噴射する流体は水からなり、噴霧される水の粒子径を１０〜１００μｍとし、
所要領域内に１００〜１０００ｍｍピッチで多数配置し、ヒートアイランド対策用の降温用噴霧ノズルとして用いていることを特徴とする請求項１乃至請求項５のいずれか１項に記載のノズル。
【発明の詳細な説明】
【技術分野】
【０００１】
本発明はノズルに関し、特に、ヒートアイランド現象緩和用の噴霧ノズルとして好適に用いられるものである。
【背景技術】
【０００２】
流体噴射用のノズルは各種の産業分野で用いられており、近時、局部的な地域の周辺温度を降下するヒートアイランド現象緩和用として使用されている。
例えば、特開平６−１５９８８７号（特許文献１）では、集客施設に通じるプロムナードや陸橋等のアクセス部に霧状の水噴霧を行うノズルを配置している。この特許文献１で開示されているノズルは水噴射用ノズルからなり、ポンプから供給される水をプロムナードの空間に水粒子を５０μｍ以下として霧状に噴霧すると記載されている。
【０００３】
【特許文献１】特開平６−１５９８８７号公報
【発明の開示】
【発明が解決しようとする課題】
【０００４】
前記特許文献１で開示されたノズルは５０μｍ以下の粒子で水噴霧するノズルであることが開示されているだけで、ノズルの具体的な構造の開示はない。
前記のように５０μｍ以下の粒子で噴霧するためには、噴射圧が高圧なノズルとする必要があり、金属加工品からなる場合が多い。その場合、耐錆性に優れたステンレス製とされる場合が多いが、ステンレスでノズルを形成する場合、加工コストがかかり、１個あたりのノズルは非常に高価となる。また、鉄系金属では腐食が進行しやすく、発生した錆が水中に異物が混入し易くなる。
このような、金属製で、１個当たりの単価が高いノズルをヒートアイランド対策用として用いる場合、所要領域内に大量にノズルを配置する必要があるため、トータルコストは非常に高くなり、実用上の大きなネックとなる。
コスト的な観点より、樹脂成形品からなるノズルは安価となるが、噴射圧力が高圧である場合には、樹脂成形品のノズルは強度不足で耐圧性の点で問題があると共に耐摩耗性の点でも劣る問題がある。
【０００５】
本発明は、前記した問題に鑑みてなされたもので、噴射圧力が高圧であっても、樹脂成形品で本体を成形し、その結果、製造コストを従来よりも飛躍的に低減できる安価なノズルを提供することを課題としている。
【課題を解決するための手段】
【０００６】
前記課題を解決するため、本発明は、
樹脂成形品からなる本体と、該本体の設けられた噴口を囲む内壁面に固定されるセラミック製のノズルチップを備え、該ノズルチップは前記本体の噴口と連通する噴射穴を中央部に備え、該ノズルチップの噴射穴から前記本体の噴口を通して流体を噴射する構成としていることを特徴とするノズルを提供している。
【０００７】
前記のように、本発明のノズルは、高流速の流体と接触して噴射圧力を受ける噴口部分に耐摩耗性、防錆性を有すると共に耐圧強度が高く、且つ、軽量であるセラミック製のノズルチップを配置している。他の部分は前記噴射圧力を直接的に受けず低流速の流体が接触し、セラミックよりも耐摩耗性が低い樹脂で十分であるため、成形性に優れた樹脂を用いている。
これにより、ステンレス等の金属加工品からなるノズルと比較して製造コストを大幅に低下できノズルを安価に提供することができる。よって、大量にノズルを配置する必要があるヒートアイランド対策用の降温用噴霧発生ノズルとして好適なものとなる。
【０００８】
前記ノズルチップは平板形状で、前記本体の噴射側壁の内面にモールドして固定している。
このように、ノズルチップをモールドして本体に固定すると、本体の構造をノズルチップを組みつけできる構造とする必要はなく、かつ、ノズルチップの組みつけ工程も不要となり、しかもノズルチップが本体に隙間なく確実に固定できる。
【０００９】
前記ノズルチップ、前記本体または／および該本体内に装填するアダプタに、旋回流発生手段を設け、前記ノズルチップの噴射穴から旋回流の噴霧を発生させる構成としていることが好ましい。
【００１０】
前記旋回流発生手段として、ノズルチップの噴射穴の内周面、本体の流路と接する面に旋回溝を設けたり、旋回流発生用のワーラーからなるアダプタを本体に装填する。
このように、ノズルチップの噴射穴から本体の噴口に流入する流体を旋回流とすると、噴霧する粒子径を微細化することができ、霧を広範囲に発生させることができる。
【００１１】
例えば、前記ノズルチップの前記噴射穴は、流入側から縮径するテーパ状穴部と、該テーパ状穴部に連続して前記本体の噴口に連通する径穴部とし、前記テーパ状穴部に連通する旋回溝を通して流体を旋回させながら流入し、前記ノズルチップの噴射穴および前記本体の噴口から旋回流の噴霧を発生させる構成としていることが好ましい。
【００１２】
具体的には、前記本体は、筒部の一端に前記噴口を有する前記噴射側壁を備えると共に他端は開口とし、該開口から前記筒部内にアダプタを装填し、該アダプタの先端部と前記ノズルチップの内側面とを対向させ、この対向するノズルチップの内側面あるいは前記アダプタの先端面のいずれかに円弧の旋回溝を設け、該旋回溝の内端を前記ノズルチップの噴射穴に連通させ、流体を旋回させて流入している構成とすることが好ましい。
【００１３】
前記のように、本体は一端に噴射側壁を有する筒形状とし、前記噴射側壁の内面にセラミック製のノズルチップを固定し、その中空部に空洞としている。この中空部に、他端開口よりアダプターを挿入して中空部内に固定し、該アダプタで液体流路を形成している。  該構成とすると、アダプタとして任意形状の流体流路を設けたものを用いて本体内に充填すると、任意の性能を有するノズルとすることができる。
【００１４】
また、アダプターを本体の中空部に挿入する代わりに、本体を中空部を有する筒形状とせず、前記ノズルチップの噴射穴あるいは旋回溝に流体を流入する流路を備えた形状に成形し、前記ノズルチップをモールドして本体を射出成形するだけで、ノズルを完成した状態としてもよい。
【００１５】
前記本体の筒部内にアダプタを装填する場合には、該アダプタは１つの単体から構成しても良いし、ユニットとしてもよい。
ユニットとする場合は、筒状のストレーナーボルダと、該ストレーナーホルダの外嵌した筒状のストレーナースクリーンと、前記ストレーナーホルダの先端面に嵌合固定したクローザからなり、該クローザでアダプタの先端部として構成することが好ましい。
【００１６】
前記のように、ノズル内部にストレーナーを設け、流体中の異物がノズルチップの噴射穴および本体の噴口に流入する前にストレーナースクリーンで除去すると、噴射圧力を高圧とするために微細穴としたノズルチップの噴射穴および本体の噴口が異物により目詰まりするのを確実に防止できる。
【００１７】
より詳細には、前記筒状のストレーナーホルダの周壁の前側に周方向に間隔をあけて軸線方向の開口を設け、該該前側の周壁の外周に前記ストレーナースクリーンを外嵌し、かつ、前記ストレーナーホルダの中空部に、スプリングの一端に流路開閉弁を収容し、中空部の後端開口の流体流入口から流入する流体圧により前記流路開閉弁を開くと共に前記開口より前方へと移動させ、前記ストレーナーホルダの中空部に流入した流体を前記開口およびストレーナースクリーンを通してストレーナーホルダと前記本体の周壁との間の流体流路へと流出させ、該流体流路を前記旋回溝の外端と連通させていることが好ましい。
【００１８】
前記のように、ストレーナーホルダの中空部を利用して、流入圧によって開閉する流路開閉弁を配置すると、ノズルを大型化することなく、ストレーナーおよび流路開閉弁を備えた高機能のノズルとすることができる。
【００１９】
本発明のノズルは、ヒートアイランド対策用の降温用噴霧ノズルとして好適に用いられる。その場合には、噴射する流体は水からなり、噴霧する水の粒子径を１０〜１００μｍとし、所要領域内に１００〜１０００ｍｍピッチで多数配置している。
【発明の効果】
【００２０】
前述したように、本発明のノズルは、耐圧性が要求される噴口を囲む内壁面に耐圧性および防錆性を有すると共に軽量はセラミック製のノズルチップを用い、本体は樹脂成形品としていることで、ノズルの製造コストを大幅に低下でき、ノズルの単価を低減できる。よって、大量にノズルを配置する必要があるヒートアイランド対策用の降温用噴霧発生ノズルとして好適なものとなる。
【発明を実施するための最良の形態】
【００２１】
以下、本発明のノズルの実施形態を図面を参照して詳細に説明する。
図１および図３は第１実施形態のノズル１を示し、ノズル１は水を噴霧する一流体ノズルからなり、ヒートアイランド対策用の噴霧ノズルとして用いられるものである。
【００２２】
ノズル１は、射出成形した樹脂からなる筒状の本体２、該本体２の噴射側壁２ａの内面に固定したセラミック製のノズルチップ３からなり、本実施形態では、本体２はポリアミド系樹脂で成形している。
【００２３】
樹脂成形品の本体２は円筒状の周壁２ａの一端を噴射側壁２ｂで閉鎖し、その中央に噴口２ｃを設ける一方、周壁２ａの他端は開口２ｄとし、開口２ｄは水供給用の配管２０と連通し、本体２の中空部２ｅに流入している。本体２は全長を約２０ｍｍ、最大直径を約１５ｍｍとし、小型軽量なノズルとしている。
【００２４】
前記ノズルチップ３は大略円盤形状とし、本体２の成型時にモールドして、本体２の噴射側壁２ａの内面に固定している
該ノズルチップ３は本体２の噴射側壁２ｂの中心の噴口２ｃと連通する噴射穴３ａを中央部に備え、噴射穴３ａから噴口２ｃを通して旋回流として水を噴霧する構成としている。
【００２５】
前記噴射穴３ａは、流入側から縮径するテーパ状穴部３ａ−１と、該テーパ状穴部３ａ−１に連続して噴口２ｃに連通する小径穴部３ａ−２とからなる。図２に示すように、ノズルチップ３の内面には９０度間隔をあけて円弧状に湾曲させた旋回溝３ｂを設け、これら旋回溝３ｂの内周端をテーパ状穴部３ａ−１の周縁と連通させ、旋回溝３ｂを通して水を旋回させながら流入する構成としている。
【００２６】
ノズル１に連結する配管２０は高圧ポンプ（図示せず）を介して水供給源に接続し、ノズル１に０．１〜１０ＭＰａの水圧とした水を供給し、粒子径１０〜１００μｍの噴霧を発生させる構成としている。
【００２７】
前記ノズル１では、配管２０から本体２に流入する水は、噴射側において、ノズルチップ３の旋回溝３ｂを通り、旋回流となって噴射穴３ａのテーパ状穴部３ａ−１に流入する。該テーパ状穴部３ａ−１内で、該穴部の内周面に旋回しながら衝突するため水滴が微細化され、該テーパ状穴部３ａ−１より噴射側の小径穴部３ａ−２に流入し、さらに、連通した本体２の噴口２ｃから、１０〜１００μｍの微細な水滴となって、霧状に噴射される。
【００２８】
また、本発明のノズルは、従来の金属加工品ではなく、ノズルチップ３だけをセラミックとし、本体２は射出成形品としているため、金属加工品からなる同種のノズルと比較して、製造コストを大幅に低減できる。また、重量も大幅に低減できる。
よって、図３に示すように、保持具３０にノズル１を１００〜１０００ｍｍピッチで取り付けて、ヒートアイランド対策用のノズルとして実用に供するに適したものとすることができる。
【００２９】
図４および図５に、第２実施形態を示す。
第２実施形態では、本体２の中空部２ｅ内に、図４に示す旋回流発生用のワーラー５０からなるアダプタを装填している。該ワーラー５０は周方向に間隔をあけて斜孔５０ａを備え、これら斜孔５０ａを通過することで旋回流を発生する構成としている。
また、ワーラー５０の設置位置からノズルチップ３のテーパ状の噴射穴３ａに連続する本体２の内周面は円錐面とし、かつ、ノズルチップ３の１段のテーパ形状の噴射穴３ａとし、その内周面には旋回溝を設けていない。
他の構成は第１実施形態と同様であるため、同一符号を付して説明を省略する。
【００３０】
このように、本体２の中空部２ｅにワーラー５０を設けて旋回流れを発生させ、旋回状態でノズルチップ３の噴射穴３ａ内に流入させて、第１実施形態と同様に、本体２の噴口２ｃから微細な水滴として霧状に噴射している。
なお、前記ワーラー５０を装填する代わりに、本体２の内周面に旋回溝を刻設してもよい。
【００３１】
図６に第３実施形態を示す。
第３実施形態は図１に示す第１実施形態の本体２の中空部２ｅにアダプタ・ユニット４を装填している。
【００３２】
アダプタ・ユニット４は、筒状のストレーナーボルダ５、該ストレーナーホルダ５に外嵌した筒状のストレーナースクリーン６、ストレーナーホルダ５の先端面に嵌合固定したクローザ７、ストレーナーホルダ５の中空部に装填するスプリング８、該スプリング８の一端に連結した構成の流路開閉弁９とのアセンンプリからなる。
【００３３】
前記ストレーナーホルダ５は周壁の前側に周方向に間隔をあけて軸線方向の開口５ａを備え、この開口５ａを設けた前側周壁の外周に円筒状のストレーナースクリーン６を外嵌している。また、後端壁５ｃに中空部５ｄと連通する水流入口５ｅを設けている。
【００３４】
前記ストレーナースクリーン６と本体の周壁２ａの内周面との間に流体流路１３を設け、該流体流路２１を噴射側のノズルチップ３とクローザ７との接合部の外周部まで連続させている。
ストレーナースクリーン６の先端側には前記クローザ７の後側小径部７ａを内嵌し、その端面をストレーナーホルダ５の前端面と当接している。前記前側小径部７ａの先端面はノズルチップ３の内側面と接合させ、その間に前記図２に示す旋回溝３ｂを位置させ、該旋回溝の外周端を前記外周側の流体流路１３と連通し、内周端をノズルチップ３の噴射穴３ａとを連通している。
【００３５】
前記ストレーナーホルダ５の中空部５ｄ内に挿入したスプリング８の後端に流路開閉弁９を連結し、該流路開閉弁９をストレーナーホルダ５の周壁内面に設けた弁座５ｆにスプリング８で付設して当接させて流路を閉鎖している。水流入口５ｅより水が中空部５ｄに流入すると流路開閉弁９をスプリング８に抗して押し開き弁座５ｆを通して前方へ流れ込み、周壁の開口５ａ、その外周のストレーナースクリーン６を通して、前記外周の流体流路１３へと流出させる構成としている。
他の構成は第１実施例と同様であるため、同一符号を付して説明を省略する。
【００３６】
前記ノズル１では、配管２０からストレーナーホルダ５の中空部５ｄ内に水が流入し、流入する水圧で流路開閉弁９がスプリング８に抗して前進し、弁座５ｆを開く。水はストレーナーホルダ５の開口５ａ、ストレーナースクリーン６を通して流体通路１３に流入する。該流体通路１３を通してノズルチップ３とクローザ７の接合部の外周部１３ａへと流入し、さらに、旋回溝３ｂを通ってノズルチップ３の噴射穴３ａのテーパ状穴部３ａ−１に流入する。該テーパ状穴部３ａ−１より噴射側の小径穴部３ａ−２に流入し、さらに、連通した本体２の噴口２ｃから霧状となって噴射される。
【００３７】
本実施形態においては、水中に微小な異物が混入していた場合、ストレーナースクリーン６で異物の流通を遮断しているため、目詰まりの発生を防止することができる。
【００３８】
なお、本発明のノズルは前記実施形態に限定されず、ノズルへの水の供給および停止を配管側に設ける制御弁で制御する構成とすれば、前記スプリングと流路開閉弁を設けなくともよい。
また、前記実施形態では、ストレーナーホルダ、ストレーナースクリーン、クローザなどをアセンブリしたアダプタ・ユニットを用いているが、１部材からなる流体流路を設けたアダプタを本体の中空部に装填してもよい。
さらにまた、本発明のノズルは水を噴霧するノズルに限定されず、他の流体の噴射用ノズルとしてもよい。
【図面の簡単な説明】
【００３９】
【図１】本発明の第１実施形態のノズルの断面図である。
【図２】ノズルチップの内面を示す図面である。
【図３】本発明のノズルの使用例を示す図面である。
【図４】本発明の第２実施形態のノズルの断面図である。
【図５】ワーラーを示す側面図である。
【図６】本発明の第２実施形態のノズルの断面図である。
【符号の説明】
【００４０】
１  ノズル
２  樹脂成形品の本体
２ａ  周壁
２ｂ  噴射側壁
２ｃ  噴口
２ｅ  中空部
３  セラミック製のノズルチップ
３ａ  噴射穴
３ｂ  旋回溝
４  アダプタ・ユニット
５  ストレーナーホルダ
６  ストレーナースクリーン
７  クローザ
８  スプリング
９  流路開閉弁
【図１】
2008104929.tif 000003
【図２】
2008104929.tif 000004
【図３】
2008104929.tif 000005
【図４】
2008104929.tif 000006
【図５】
2008104929.tif 000007
【図６】
2008104929.tif 000008